(57)【要約】  本願はスマートマスク、汚染物質吸着量を算出する方法、スマートマスク及び装置に関し、端末技術分野に属する。該スマートマスクはマスク本体、マスク本体の第１開口端に設置されるマスク前部及びマスク本体の第２開口端に設置される固定用バンドを含み、マスク前部はマスク前部の内部には順にマスク前部に入った空気における汚染物質を吸着するフィルタと、濾過後の空気質指数を検出する空気センサー及びユーザーがスマートマスクを装着している時の総呼吸量を統計する流量センサーを含むセンサーとが設置される。本願は濾過後の空気質指数、ユーザーがスマートマスクを装着している時の総呼吸量及び装着当日の空気質指数に基づき、スマートマスク装着の過程において汚染物質吸着量を算出することができ、ユーザーに現地の大気状況をより直観的に示すことができる。【選択図】図３
2017527714.tif 000002
【特許請求の範囲】
【請求項１】
マスク前部、マスク本体及び固定用バンドを含むスマートマスクであって、
前記マスク本体が第１開口端及び第２開口端を含み、前記第１開口端の口径が前記第２開口端の口径より小さく、前記マスク前部が前記マスク本体の第１開口端に設置され、前記固定用バンドが前記マスク本体の第２開口端に設置され、
前記マスク前部の内部には、順に、前記マスク前部に入った空気に含まれる汚染物質を吸着するフィルタと、濾過後の空気質指数を検出する空気センサー及びユーザーが前記スマートマスクを装着している時の総呼吸量を統計する流量センサーを含むセンサーとが設置され、
前記固定用バンドは、前記マスク本体とユーザーの口鼻との間に密着したキャビティを形成させるように、前記第２開口端を介して前記スマートマスクをユーザーの口鼻の上方に固定することを特徴とするスマートマスク。
【請求項２】
前記マスク前部の内部にはさらに空気排出デバイスが設置され、前記フィルタは前記空気排出デバイスと前記センサーの間に設置され
前記空気排出デバイスは、レスピレーター又はファンであって、ユーザーの吐き出した空気を前記スマートマスクから排出することを特徴とする請求項１に記載のスマートマスク。
【請求項３】
前記マスク前部の内部には、さらに、少なくともプリント回路基板ＰＣＢ、シングルチップマイクロコンピューターにより集積される集積回路基板及び接続モジュールを含むプロセッサと、前記プロセッサに電力を供給する電池とが設置されていることを特徴とする請求項１に記載のスマートマスク。
【請求項４】
前記プロセッサと前記電池は前記マスク前部の内壁に設置されることを特徴とする請求項３に記載のスマートマスク。
【請求項５】
前記接続モジュールは、ブルートゥース（登録商標）モジュール、赤外線モジュール、近距離無線通信ＮＦＣモジュールのいずれかを含むことを特徴とする請求項４に記載のスマートマスク。
【請求項６】
汚染物質吸着量の算出方法であって、上記請求項１〜５のいずれかに記載の前記スマートマスクに適用され、
ユーザーがマスクを装着している過程において、濾過後の空気質指数を検出することと、
前記ユーザーの総呼吸量を統計することと、
前記濾過後の空気質指数及び前記総呼吸量を端末に送信し、前記端末が前記濾過後の空気質指数、前記総呼吸量及び装着当日の現地の空気質指数に基づき、汚染物質吸着量を算出することと、
を含むことを特徴とする方法。
【請求項７】
前記空気質指数及び前記総呼吸量を端末に送信する前に、さらに、
ブルートゥース機能を起動し、ブルートゥース信号により前記端末への接続を確立すること、又は、
近距離無線通信ＮＦＣ機能を起動し、ＮＦＣデータチャネルにより前記端末への接続を確立すること、又は、
赤外線機能を起動し、赤外線信号により前記端末への接続を確立することを含むことを特徴とする請求項６に記載の方法。
【請求項８】
汚染物質吸着量の算出方法であって、
スマートマスクから送信された濾過後の空気質指数及びユーザーの総呼吸量を受信することと、
装着当日の現地の空気質指数を取得することと、
前記濾過後の空気質指数、前記総呼吸量及び前記装着当日の現地の空気質指数に基づき、汚染物質吸着量を算出することと、
を含むことを特徴とする方法。
【請求項９】
前記スマートマスクから送信された濾過後の空気質指数及びユーザーの総呼吸量を受信する前に、更に、
ブルートゥース機能を起動し、ブルートゥース信号により前記スマートマスクへの接続を確立すること、又は、
近距離無線通信ＮＦＣ機能を起動し、ＮＦＣデータチャネルにより前記スマートマスクへの接続を確立すること、又は、
赤外線機能を起動し、赤外線信号により前記スマートマスクへの接続を確立することを含むことを特徴とする請求項８に記載の方法。
【請求項１０】
前記装着当日の現地の空気質指数を取得することは、
インターネットにより前記装着当日の現地の空気質指数を取得すること、又は、
内蔵の空気センサーにより前記装着当日の現地の空気質指数を取得することを含むことを特徴とする請求項８に記載の方法。
【請求項１１】
前記濾過後の空気質指数、前記総呼吸量及び前記装着当日の現地の空気質指数に基づき、汚染物質吸着量を算出することは、
前記装着当日の現地の空気質指数及び前記濾過後の空気質指数に基づき、空気清浄度を決定することと、
前記空気清浄度及び前記総呼吸量に基づき、前記汚染物質吸着量を算出することとを含むことを特徴とする請求項８に記載の方法。
【請求項１２】
汚染物質吸着量を算出した後に、さらに
前記汚染物質吸着量をサーバーにアップロードし、サーバーにより、その他の端末からアップロードされた汚染物質吸着量に基づき、前記汚染物質吸着量の順位を決定し、前記吸着量の順位を返信することと、
前記サーバーから返信した前記吸着量の順位を受信することとを含むことを特徴とする請求項８に記載の方法。
【請求項１３】
スマートマスクであって、
ユーザーがマスクを装着する過程において、濾過後の空気質指数を検出する検出モジュールと、
前記ユーザーの総呼吸量を統計する統計モジュールと、
前記濾過後の空気質指数及び前記総呼吸量を端末に送信し、前記端末が前記濾過後の空気質指数、前記総呼吸量及び装着当日の現地の空気質指数に基づき、汚染物質吸着量を算出する送信モジュールと、
を含むことを特徴とするスマートマスク。
【請求項１４】
前記スマートマスクは、更に、
ブルートゥース機能を起動し、ブルートゥース信号により前記端末への接続を確立する接続モジュール、又は、
近距離無線通信ＮＦＣ機能を起動し、ＮＦＣデータチャネルにより前記端末への接続を確立する接続モジュール、又は、
赤外線機能を起動し、赤外線信号により前記端末への接続を確立する接続モジュールを含むことを特徴とする請求項１３に記載のスマートマスク。
【請求項１５】
汚染物質吸着量の算出装置であって、
スマートマスクから送信された濾過後の空気質指数及びユーザーの総呼吸量を受信する第１受信モジュールと、
装着当日の現地の空気質指数を取得する取得モジュールと、
前記濾過後の空気質指数、前記総呼吸量及び前記装着当日の現地の空気質指数に基づき、汚染物質吸着量を算出する算出モジュールと、
を含むことを特徴とする装置。
【請求項１６】
前記装置は、
ブルートゥース機能を起動し、ブルートゥース信号により前記スマートマスクへの接続を確立する接続モジュール、又は、
近距離無線通信ＮＦＣ機能を起動し、ＮＦＣデータチャネルにより前記スマートマスクへの接続を確立する接続モジュール、又は、
赤外線機能を起動し、赤外線信号により前記スマートマスクへの接続を確立する接続モジュールをさらに含むことを特徴とする請求項１５に記載の装置。
【請求項１７】
前記取得モジュールは、インターネットにより前記装着当日の現地の空気質指数を取得すること、又は、
前記取得モジュールは、ユーザが内蔵の空気センサーにより前記装着当日の現地の空気質指数を取得することを特徴とする請求項１５に記載の装置。
【請求項１８】
前記算出モジュールは、前記装着当日の現地の空気質指数及び前記濾過後の空気質指数に基づき、空気清浄度を決定し、前記空気清浄度及び前記総呼吸量に基づき、前記汚染物質吸着量を算出することを特徴とする請求項１５に記載の装置。
【請求項１９】
前記装置は、
前記汚染物質吸着量をサーバーにアップロードし、サーバーにより、その他の端末からアップロードされた汚染物質吸着量に基づき、前記汚染物質吸着量の順位を決定し、前記吸着量の順位を返信するアップロードモジュールと、
前記サーバーから返信した前記吸着量の順位を受信する第２受信モジュールとをさらに含むことを特徴とする請求項１５に記載の装置。
【請求項２０】
スマートマスクであって、
プロセッサと、
プロセッサの実行可能なコマンドを記憶するためのメモリーとを含み、
前記プロセッサは、
ユーザーがマスクを装着する過程において、濾過後の空気質指数を検出し、
前記ユーザーの総呼吸量を統計し、
前記濾過後の空気質指数及び前記総呼吸量を端末に送信し、前記端末が前記濾過後の空気質指数、前記総呼吸量及び装着当日の現地の空気質指数に基づき、汚染物質吸着量を算出する
ことを特徴とするスマートマスク。
【請求項２１】
汚染物質吸着量の算出装置であって、
プロセッサと、
プロセッサの実行可能なコマンドを記憶するためのメモリーと、を含み、
前記プロセッサは、
スマートマスクから送信された濾過後の空気質指数及びユーザーの総呼吸量を受信し、
装着当日の現地の空気質指数を取得し、
前記濾過後の空気質指数、前記総呼吸量及び前記装着当日の現地の空気質指数に基づき、汚染物質吸着量を算出することを特徴とする装置。
【発明の詳細な説明】
【技術分野】
【０００１】
本出願は出願番号ＣＮ２０１５１０４６３２１９．Ｘ、出願日２０１５年７月３１日である中国特許出願に基づいて提出され、該中国特許出願の優先権を主張し、該中国特許出願の全ての内容はここで参考として本願に引用される。
【０００２】
本願は端末技術分野に関し、特にスマートマスク、汚染物質吸着量を算出する方法、スマートマスク及び装置に関する。
【背景技術】
【０００３】
科学技術の発展に伴い、工業製造による汚染はますます深刻となり、大気におけるＰＭ２．５（ＦｉｎｅＰａｒｔｉｃｕｌａｔｅＭａｔｔｅｒ、微小粒子状物質）などの汚染物質の濃度が年々増加し、人がさまざまな呼吸器疾患を患う確率は上昇しつつける。マスクは、肺に入る空気に対し一定の濾過作用を起すため、有毒ガス、粉塵などの大気汚染物質が肺に入ることを効果的に防止することができ、人の健康を保護するための重要なバリアとなる。
【発明の概要】
【０００４】
本願は、かかる技術における課題を解決するために、スマートマスク、汚染物質吸着量を算出する方法、スマートマスク及び装置を提供する。
【０００５】
本願の実施例の第１態様によれば、前記スマートマスクは第１開口端と第２開口端が含まれるマスク本体、前記マスク本体の第１開口端に設置されるマスク前部、及び前記マスク本体の第２開口端に設置される固定用バンドを含み、前記第１開口端の口径が前記第２開口端の口径より小さいスマートマスクを提供する。
【０００６】
その中に、前記マスク前部の内部には順に前記マスク前部に入った空気に含まれる汚染物質を吸着するフィルタと、濾過後の空気質指数を検出する空気センサー及びユーザーが前記スマートマスクを装着している時の総呼吸量を統計する流量センサーを含むセンサーが設置され、
前記固定用バンドは前記マスク本体とユーザーの口鼻との間に密着したキャビティを形成させるように、前記第２開口端を介して前記スマートマスクをユーザーの口鼻の上方に固定する。
【０００７】
好ましくは、前記マスク前部の内部にはさらに空気排出デバイスが設置され、前記フィルタは前記空気排出デバイスと前記センサーの間に設置され
前記空気排出デバイスは、レスピレーター又はファンであって、ユーザーの吐き出した空気を前記スマートマスクから排出する。
【０００８】
好ましくは、前記マスク前部の内部には、さらに、少なくともプリント回路基板ＰＣＢ、シングルチップマイクロコンピューターにより集積される集積回路基板及び接続モジュールを含むプロセッサと、前記プロセッサに電力を供給する電池とが設置されている。
【０００９】
好ましくは、前記プロセッサと前記電池は前記マスク前部の内壁に設置される。
【００１０】
好ましくは、前記接続モジュールは、ブルートゥース（登録商標）モジュール、赤外線モジュール、近距離無線通信ＮＦＣモジュールのいずれかを含む。
【００１１】
本願の実施例の第２態様によれば、汚染物質吸着量の算出方法を提供し、上記請求項１〜５のいずれかに記載の前記スマートマスクに適用され、
ユーザーがマスクを装着している過程において、濾過後の空気質指数を検出することと、
前記ユーザーの総呼吸量を統計することと、
前記濾過後の空気質指数及び前記総呼吸量を端末に送信し、前記端末が前記濾過後の空気質指数、前記総呼吸量及び装着当日の現地の空気質指数に基づき、汚染物質吸着量を算出することと、を含む。
【００１２】
好ましくは、前記空気質指数及び前記総呼吸量を端末に送信する前に、更に
ブルートゥース機能を起動し、ブルートゥース信号により前記端末への接続を確立すること、又は、
近距離無線通信ＮＦＣ機能を起動し、ＮＦＣデータチャネルにより前記端末への接続を確立すること、
又は、
赤外線機能を起動し、赤外線信号により前記端末への接続を確立することを含む。
【００１３】
本願の実施例の第３態様によれば、汚染物質吸着量の算出方法であって、
スマートマスクから送信された濾過後の空気質指数とユーザーの総呼吸量を受信することと、
装着当日の現地の空気質指数を取得することと、
前記濾過後の空気質指数、前記総呼吸量及び前記装着当日の現地の空気質指数に基づき、汚染物質吸着量を算出することとを含む汚染物質吸着量の算出方法を提供する。
【００１４】
好ましくは、スマートマスクから送信された濾過後の空気質指数とユーザーの総呼吸量を受信する前に、更に
ブルートゥース機能を起動し、ブルートゥース信号により前記スマートマスクへの接続を確立すること、又は、
近距離無線通信ＮＦＣ機能を起動し、ＮＦＣデータチャネルにより前記スマートマスクへの接続を確立すること、又は、
赤外線機能を起動し、赤外線信号により前記スマートマスクへの接続を確立することを含む。
【００１５】
好ましくは、装着当日の現地の空気質指数を取得することは、
インターネットにより前記装着当日の現地の空気質指数を取得すること、又は、
内蔵の空気センサーにより前記装着当日の現地の空気質指数を取得することを含む。
【００１６】
好ましくは、前記濾過後の空気質指数、前記総呼吸量及び前記装着当日の現地の空気質指数に基づき、汚染物質吸着量を算出することは、
前記装着当日の現地の空気質指数及び前記濾過後の空気質指数に基づき、空気清浄度を決定することと、
前記空気清浄度と前記総呼吸量に基づき、前記汚染物質吸着量を算出することとを含む。
【００１７】
好ましくは、汚染物質吸着量を算出した後に、さらに、
前記汚染物質吸着量をサーバーにアップロードし、サーバーにより、その他の端末からアップロードされた汚染物質吸着量に基づき、前記汚染物質吸着量の順位を決定し、前記吸着量の順位を返信することと、
前記サーバーから返信した前記吸着量の順位を受信することとを含む。
【００１８】
本願の実施例の第４態様によれば、前記スマートマスクは、ユーザーが装着している過程において、濾過後の空気質指数を検出する検出モジュールと、
前記ユーザーの総呼吸量を統計する統計モジュールと、
前記濾過後の空気質指数及び前記総呼吸量を端末に送信し、前記端末が前記濾過後の空気質指数、前記総呼吸量及び装着当日の現地の空気質指数に基づき、汚染物質吸着量を算出する送信モジュールとを含むスマートマスクを提供する。
【００１９】
好ましくは、前記スマートマスクは、更に、
ブルートゥース機能を起動し、ブルートゥース信号により前記端末への接続を確立する接続モジュール、又は、
近距離無線通信ＮＦＣ機能を起動し、ＮＦＣデータチャネルにより前記端末への接続を確立する接続モジュール、又は、
赤外線機能を起動し、赤外線信号により前記端末への接続を確立する接続モジュールを含む。
【００２０】
本願の実施例の第５態様によれば、汚染物質吸着量の算出装置であって、
スマートマスクから送信された濾過後の空気質指数及びユーザーの総呼吸量を受信する第１受信モジュールと、
装着当日の現地の空気質指数を取得する取得モジュールと、
前記濾過後の空気質指数、前記総呼吸量及び前記装着当日の現地の空気質指数に基づき、汚染物質吸着量を算出する算出モジュールを含む汚染物質吸着量の算出装置を提供する。
【００２１】
好ましくは、前記装置は、
ブルートゥース機能を起動し、ブルートゥース信号により前記スマートマスクへの接続を確立する接続モジュール、又は、
近距離無線通信ＮＦＣ機能を起動し、ＮＦＣデータチャネルにより前記スマートマスクへの接続を確立する接続モジュール、又は、
赤外線機能を起動し、赤外線信号により前記スマートマスクへの接続を確立する接続モジュールをさらに含む。
【００２２】
好ましくは、前記取得モジュールは、インターネットにより前記装着当日の現地の空気質指数を取得し、又は、
前記取得モジュールは、ユーザが内蔵の空気センサーにより前記装着当日の現地の空気質指数を取得する。
【００２３】
好ましくは、前記算出モジュールは、前記装着当日の現地の空気質指数及び前記濾過後の空気質指数に基づき、空気清浄度を決定し、前記空気清浄度と前記総呼吸量に基づき、前記汚染物質吸着量を算出する。
【００２４】
好ましくは、前記装置は、
前記汚染物質吸着量をサーバーにアップロードし、サーバーにより、その他の端末からアップロードされた汚染物質吸着量に基づき、前記汚染物質吸着量の順位を決定し、前記吸着量の順位を返信するアップロードモジュールと、
前記サーバーから返信した前記吸着量の順位を受信する第２受信モジュールとをさらに含む。
【００２５】
本願の実施例の第６態様によれば、スマートマスクであって、
プロセッサと、
プロセッサの実行可能なコマンドを記憶するためのメモリーとを含み、
前記プロセッサは、
ユーザーがマスクを装着している過程において、濾過後の空気質指数を検出し、
前記ユーザーの総呼吸量を統計し、
前記濾過後の空気質指数及び前記総呼吸量を端末に送信し、前記端末が前記濾過後の空気質指数、前記総呼吸量及び装着当日の現地の空気質指数に基づき、汚染物質吸着量を算出する
スマートマスクを提供する。
【００２６】
本願の実施例の第７態様によれば、汚染物質吸着量の算出装置であって、
プロセッサと、
プロセッサの実行可能なコマンドを記憶するためのメモリーと、を含み、
前記プロセッサは、
スマートマスクから送信された濾過後の空気質指数及びユーザーの総呼吸量を受信し、
装着当日の現地の空気質指数を取得し、
前記濾過後の空気質指数、前記総呼吸量及び前記装着当日の現地の空気質指数に基づき、汚染物質吸着量を算出する。
【００２７】
本願の実施例により提供された技術的解決手段は、下記好適な効果を含むことができる。
【００２８】
スマートマスクのマスク前部の内部に順にフィルタとセンサーを設置することにより、マスク前部に入った空気における汚染物質を吸着するだけでなく、濾過後の空気質指数も検出し、ユーザーがマスクを装着している時の総呼吸量を統計することができる。濾過後の空気質指数、ユーザーがスマートマスクを装着している時の総呼吸量及び装着する当日における現地の空気質指数に基づき、スマートマスクを装着する過程において汚染物質吸着量を算出することにより、ユーザーに現地の大気状況を直観的に示すことができる。
【００２９】
理解すべきことは、上記の一般的な説明と下記の詳細な説明は例示的なものに過ぎず、本願を限定するものではない。
【図面の簡単な説明】
【００３０】
ここでの図面は明細書に合せられ本明細書の一部を構成し、本願に適合する実施例を示し、明細書と共に本願の原理を解釈するのに用いられる。
【図１】一例示的な実施例により示されたスマートマスクの構成模式図である。
【図２（Ａ）】一例示的な実施例により示されたマスク本体の構成模式図である。
【図２（Ｂ）】一例示的な実施例により示されたマスク前部の構成模式図である。
【図２（Ｃ）】一例示的な実施例により示されたマスク前部の構成模式図である。
【図２（Ｄ）】一例示的な実施例により示されたマスク前部の構成模式図である。
【図３】一例示的な実施例により示された汚染物質吸着量の算出方法のフローチャートである。
【図４】一例示的な実施例により示された汚染物質吸着量の算出方法のフローチャートである。
【図５】一例示的な実施例により示された汚染物質吸着量の算出方法のフローチャートである。
【図６】一例示的な実施例により示されたスマートマスクの構成模式図である。
【図７】一例示的な実施例により示された汚染物質吸着量を算出する装置の構成模式図である。
【図８】一例示的な実施例により示された汚染物質吸着量を算出する装置のブロック図である。
【発明を実施するための形態】
【００３１】
ここで、例示的な実施例について詳しく説明し、その実例は図面に示す通りである。下記の説明が図面に関わる時、別途に表示されない限り、異なる図面における同じ数字は同じ又は類似する要素を示す。以下の例示的な実施例に説明される実施形態は本願と一致する全ての実施形態を代表するものではない。逆に、それらは添付の特許請求の範囲に詳述された、本願の一部の態様と一致する装置及び方法の例に過ぎない。
【００３２】
本願の実施例はスマートマスクを提供し、図１に示すように、該スマートマスクはマスク前部１０１、マスク本体１０２及び固定用バンド１０３を含む。
【００３３】
図２（Ａ）に示すように、マスク本体１０２は第１開口端１０２１と第２開口端１０２２を含む。その中に、第１開口端１０２１の口径は第２開口端１０２２の口径より小さい。マスク前部１０１はマスク本体の第１開口端１０２１に設置され、固定用バンド１０３はマスク本体の第２開口端１０２２に設置される。
【００３４】
図２（Ｂ）に示すように、マスク前部１０１の内部には順にマスク前部１０１に入った大気汚染物質を吸着するのに用いられるフィルタ１０１１と、空気センサー及び流量センサーを含むセンサー１０１２が設置される。その中に、空気センサーはアルコール、タバコ、アンモニアガス、硫化物などのさまざまな汚染物質に対して非常に高い感度を有し、濾過後の空気質指数を検出するのに用いられ、流量センサーはユーザーがスマートマスクを装着している時の総呼吸量を統計するのに用いられる。
【００３５】
固定用バンド１０３はマスク本体１０２とユーザーの口の鼻との間に密着したキャビティを形成させるように、第２開口端１０２２を介してスマートマスクをユーザーの口鼻の上方に固定する。
【００３６】
図２（Ｃ）に示すように、マスク前部１０１の内部には空気排出デバイス１０１３とセンサー１０１２の間に設置された空気排出デバイス１０１３がさらに設置される。その中に、空気排出デバイス１０１３はレスピレーター、ファンなどであってもよい。該空気排出デバイス１０１３は、ユーザーが吐き出した空気をスマートマスクから排出する。
【００３７】
本願の別の実施例において、マスク前部１０１の内部にはさらにプロセッサ１０１４と電池１０１５が設置される。図２（Ｄ）に示すように、プロセッサ１０１４と電池１０１５はマスク前部１０１の内壁に設置されることができる。その中に、プロセッサ１０１４は少なくとも集積回路基板及び接続モジュールを含み、該集積回路基板はＰＣＢ（ＰｒｉｎｔｅｄＣｉｒｃｕｉｔＢｏａｒｄ、プリント回路基板）、シングルチップマイクロコンピューターなどにより集積される。プロセッサ１０１４はスマートマスクの制御センターであり、センサーがスマートマスクの装着時間を記録することを制御し、接続モジュールが他の端末に合わせて接続することを制御するなどに用いられる。電池１０１５はプロセッサ１０１４に電力を供給するのに用いられる。
【００３８】
本願の別の実施例において、該接続モジュールはブルートゥースモジュール、赤外線モジュール、ＮＦＣ（ＮｅａｒＦｉｅｌｄＣｏｍｍｕｎｉｃａｔｉｏｎ、近距離無線通信）モジュールのいずれかを含む。
【００３９】
本願の実施例により提供されたスマートマスクは、マスク前部の内部に順にフィルタとセンサーが設置されることにより、濾過後の空気質指数も検出するだけでなく、ユーザーがマスクを装着している時の総呼吸量を統計することができる。
【００４０】
図３は一例示的な実施例により示された汚染物質吸着量の算出方法のフローチャートであり、図３に示すように、汚染物質吸着量の算出方法はスマートマスクに適用され、以下のステップを含む。
【００４１】
ステップ３０１において、ユーザーがマスクを装着している過程において、濾過後の空気質指数を検出する。
【００４２】
ステップ３０２において、ユーザーの総呼吸量を統計する。
【００４３】
ステップ３０３において、濾過後の空気質指数及び総呼吸量を端末に送信し、端末により濾過後の空気質指数、総呼吸量及び装着当日の現地の空気質指数に基づき、汚染物質吸着量を算出する。
【００４４】
本願の実施例により提供された方法は、濾過後の空気質指数を検出し、そしてユーザーの総呼吸量を統計し、さらに濾過後の空気質指数及びユーザーがスマートマスクを装着している時の総呼吸量を端末に送信することにより、端末が濾過後の空気質指数、ユーザーの総呼吸量及び装着する当日の現地の空気質指数に基づき、スマートマスクを装着する過程において汚染物質吸着量を算出し、ユーザーに現地の大気状況を直観的に示すことができる。
【００４５】
本願の別の実施例において、空気質指数と総呼吸量を端末に送信する前に、
ブルートゥース機能を起動し、ブルートゥース信号により端末への接続を確立すること、又は、
近距離無線通信ＮＦＣ機能を起動し、ＮＦＣデータチャネルにより端末への接続を確立すること、又は、
赤外線機能を起動し、赤外線信号により端末への接続を確立すること
をさらに含む。
【００４６】
上記全ての好ましい技術的解決手段は、任意に組み合わせることにより本願の好ましい実施例を形成するため、ここでその詳細を省略する。
【００４７】
図４は一例示的な実施例により示された汚染物質吸着量の算出方法のフローチャートであり、図４に示すように、汚染物質吸着量の算出方法が端末に適用され、以下のステップを含む。
【００４８】
ステップ４０１において、スマートマスクから送信された濾過後の空気質指数及びユーザーの総呼吸量を受信する。
【００４９】
ステップ４０２において、装着当日の現地の空気質指数を取得する。
【００５０】
ステップ４０３において、濾過後の空気質指数、総呼吸量及び装着当日の現地の空気質指数に基づき、汚染物質吸着量を算出する。
【００５１】
本願の実施例により提供された方法は、濾過後の空気質指数、ユーザーがスマートマスクを装着している時の総呼吸量及び装着する当日の現地の空気質指数に基づき、スマートマスクを装着する過程において汚染物質吸着量を算出することができ、これにより、ユーザーに現地の大気状況を直観的に示すことができる。
【００５２】
本願の別の実施例において、スマートマスクから送信された濾過後の空気質指数及びユーザーの総呼吸量を受信する前に、
ブルートゥース機能を起動し、ブルートゥース信号によりスマートマスクへの接続を確立すること、又は、
近距離無線通信ＮＦＣ機能を起動し、ＮＦＣデータチャネルによりスマートマスクへの接続を確立すること、又は、
赤外線機能を起動し、赤外線信号によりスマートマスクへの接続を確立することをさらに含む。
【００５３】
本願の別の実施例において、装着当日の現地の空気質指数を取得することは、
インターネットにより前記装着当日の現地の空気質指数を取得すること、又は、
内蔵の空気センサーにより装着当日の現地の空気質指数を取得することを含む。
【００５４】
本願の別の実施例において、濾過後の空気質指数、総呼吸量及び装着当日の現地の空気質指数に基づき、汚染物質吸着量を算出することは、
装着当日の現地の空気質指数及び濾過後の空気質指数に基づき、空気清浄度を決定することと、
空気清浄度及び総呼吸量に基づき、汚染物質吸着量を算出することとを含む。
【００５５】
本願の別の実施例において、汚染物質吸着量を算出した後に、
汚染物質吸着量をサーバーにアップロードし、サーバーにより、他の端末からアップロードされた汚染物質吸着量に基づき、汚染物質吸着量の順位を決定し、吸着量の順位を返すことと、
サーバーから返した吸着量の順位を受信することとをさらに含む。
【００５６】
上記全ての好ましい技術的解決手段は、任意に組み合わせることにより本願の好ましい実施例を形成するため、ここでその詳細を省略する。
【００５７】
図５は一例示的な実施例により示された汚染物質吸着量の算出方法のフローチャートであり、図５に示すように、汚染物質吸着量の算出方法は端末及びスマートマスクに適用され、以下のステップを含む。
【００５８】
ステップ５０１において、ユーザーがマスクを装着している過程において、スマートマスクは濾過後の空気質指数を検出する。
【００５９】
その中に、スマートマスクの内部にはセンサーが設置され、該センサーは濾過後の空気質指数を検出する空気センサーとユーザーがスマートマスクを装着している時の総呼吸量を統計する流量センサーを含む。従って、ユーザーがスマートマスクを装着した時に、スマートマスクに設置されたフィルタがスマートマスクに入った空気を濾過した後、スマートマスクの空気センサーは濾過後の空気質指数を検出することができる。
【００６０】
ステップ５０２において、スマートマスクはユーザーの総呼吸量を統計する。
【００６１】
スマートマスクは、その中に設置された流量センサーに基づき、ユーザーの総呼吸量を統計することができる。
【００６２】
ここで説明すべきことは、上記ステップ５０１においてスマートマスクが濾過後の空気質指数を検出することと前記ステップ５０２においてスマートマスクがユーザーの総呼吸量を統計することは同時に行われるものであり、本実施例において、スマートマスクが濾過後の空気質指数を検出することをステップ５０１とし、スマートマスクがユーザーの総呼吸量を統計することをステップ５０２とするが、上記ステップ５０１と上記ステップ５０２が具体的な実行順序を示すわけではない。
【００６３】
ステップ５０３において、スマートマスクは濾過後の空気質指数及び総呼吸量を端末に送信する。
【００６４】
スマートマスクのプロセッサの内部には接続モジュールが設置され、該接続モジュールは、ブルートゥースモジュール、ＮＦＣモジュール、赤外線モジュールなどであってもよく、携帯電話、パーソナルコンピュータなどと同様に接続機能を備える端末への接続を確立するのに用いられる。
【００６５】
接続モジュールのさまざまなタイプに対し、スマートマスクは端末への接続を確立する時、以下の形態を含むが、それに限定するものではない。
【００６６】
第１形態において、スマートマスクと端末はブルートゥース機能を起動し、デバイスが見つかる段階において互いに認識し、その後、スマートマスクがブルートゥース信号をブロードキャストし、端末がスマートマスクからブロードキャストされたブルートゥース信号を受信した後、受信されたブルートゥース信号に基づいてスマートマスクへの接続を確立する。
【００６７】
第２形態において、スマートマスクと端末はＮＦＣ機能を起動し、データパケットの送信によりＮＦＣデータ経由チャネルを確立することにより、確立されたＮＦＣデータチャネルに基づいて互いに接続を確立する。
【００６８】
第３形態において、スマートマスクと端末は赤外線機能を起動し、デバイスを見つける段階において互いに認識し、その後、スマートマスクが赤外線信号を送信し、端末がスマートマスクから送信された赤外線信号を受信し、受信された赤外線信号に基づいてスマートマスクへの接続を確立する。
【００６９】
当然ながら、スマートマスクと端末が接続を確立する時、そのほかの形態も採用できるが、本実施例ではその詳細を省略する。
【００７０】
端末との接続により、スマートマスクは濾過後の空気質指数及び総呼吸量を端末に送信する。スマートマスクと端末との間にブルートゥース接続が確立された場合、スマートマスクはブルートゥース接続により濾過後の空気質指数及び総呼吸量を端末に送信し、スマートマスクと端末との間にＮＦＣデータチャネルが確立された場合、スマートマスクはＮＦＣデータチャネルにより濾過後の空気質指数及び総呼吸量を端末に送信し、スマートマスクと端末との間に赤外線接続が確立された場合、スマートマスクは赤外線接続により濾過後の空気質指数及び総呼吸量を端末に送信する。
【００７１】
ステップ５０４において、端末は、スマートマスクから送信された濾過後の空気質指数及びユーザーの総呼吸量を受信した時に、装着当日の現地の空気質指数を取得する。
【００７２】
その中に、空気質指数は空気中の微小粒子状物質、二酸化硫黄、二酸化窒素、オゾン、一酸化炭素などの濃度を指し、空気質指数の単位はμｇ／ｍ3である。端末は、スマートマスクから送信された濾過後の空気質指数及びユーザーの総呼吸量を受信した時に、ＧＰＳ（Ｇｌｏｂａｌ  Ｐｏｓｉｔｉｏｎｉｎｇ  Ｓｙｓｔｅｍ、全地球測位システム）により端末の所在地を確定し、さらにインターネットから装着当日の現地の空気質指数を取得することができる。端末はさらにＧＰＳにより現地気象局から発表されたデータを呼び出すことにより、装着当日の現地の空気質指数を取得することができる。また、端末は内蔵の空気センサーにより端末所在地における１日の空気質指数を監視し、監視により得られた空気質指数をデータベースに記憶し、さらにスマートマスクから送信された装着時間が受信された時、データベースから装着当日の現地の空気質指数を取得することができる。
【００７３】
ステップ５０５において、端末は濾過後の空気質指数、総呼吸量及び装着当日の現地の空気質指数に基づき、汚染物質吸着量を算出する。
【００７４】
本実施例において、端末は濾過後の空気質指数、総呼吸量及び装着当日の現地の空気質指数に基づき、汚染物質吸着量を算出する時、以下の形態を採用できる。
【００７５】
ステップ１において、端末は装着当日の現地の空気質指数及び濾過後の空気質指数に基づき、空気清浄度を決定する。
【００７６】
該ステップを具体的に実施する時、端末は装着当日の現地の空気質指数から濾過後の空気質指数を減らすことにより、スマートマスクの空気清浄度を取得し、即ち空気清浄度（μｇ／ｍ3）＝装着当日の現地の空気質指数（μｇ／ｍ3）−濾過後の空気質指数（μｇ／ｍ3）である。
【００７７】
例えば、ユーザーがスマートマスクを装着当日の現地の空気質指数が２０μｇ／ｍ3であり、スマートマスクにより濾過後の空気質指数が８μｇ／ｍ3である場合、空気清浄度＝装着当日の現地の空気質指数−濾過後の空気質指数＝２０μｇ／ｍ3−８μｇ／ｍ3＝１２μｇ／ｍ3である。
【００７８】
ステップ２において、端末は空気清浄度及び総呼吸量に基づき、汚染物質吸着量を算出する。
【００７９】
該ステップを具体的に実施する時、端末は空気清浄度に総呼吸量を乗算することにより、汚染物質吸着量を取得し、即ち汚染物質吸着量（μｇ）＝空気清浄度（μｇ／ｍ3）×総呼吸量（ｍ3）＝（装着当日の現地の空気質指数−濾過後の空気質指数）×総呼吸量である。
【００８０】
例えば、ユーザーがスマートマスクを装着する当日の現地の空気質指数が３５μｇ／ｍ3であり、スマートマスクによる濾過後の空気質指数が１５μｇ／ｍ3であり、ユーザーがスマートマスクを装着している時の総呼吸量が１０ｍ3である場合、汚染物質吸着量＝（装着当日の現地の空気質指数−濾過後の空気質指数）×総呼吸量＝（３５μｇ／ｍ3−１５μｇ／ｍ3）×１０ｍ3＝２００μｇである。
【００８１】
ユーザーの装着するスマートマスクの汚染物質吸着性をより直観的に示すため、汚染物質吸着量を算出した後、さらに、端末は汚染物質吸着量をサーバーにアップロードし、サーバーにより、他の端末からアップロードされた汚染物質吸着量に基づき、ユーザーが装着するスマートマスクの汚染物質吸着量があらゆるユーザーにおける吸着量順位を確定し、確定した吸着量順位を端末に送信する。端末はサーバーから返信された吸着量順位を受信した後、該吸着量順位をユーザーに表示し、それによりユーザーは装着するスマートマスクの吸着性、及び現地の大気質状況を直接把握することができる。
【００８２】
本願の実施例により提供された方法は、濾過後の空気質指数、ユーザーがスマートマスクを装着している時の総呼吸量及び装着する当日の現地の空気質指数に基づき、スマートマスクを装着する過程において汚染物質吸着量を算出することにより、ユーザーに現地の大気状況を直観的に示すことができる。
【００８３】
図６は一例示的な実施例により示されたスマートマスクの構成模式図である。図６に示すように、該スマートマスクは、ユーザーが装着している過程において、濾過後の空気質指数を検出する検出モジュール６０１と、ユーザーの総呼吸量を統計する統計モジュール６０２と、濾過後の空気質指数及び総呼吸量を端末に送信し、端末が濾過後の空気質指数、総呼吸量及び装着当日の現地の空気質指数に基づき、汚染物質吸着量を算出送信モジュール６０３とを含む。
【００８４】
本願の別の実施例において、スマートマスクは接続モジュールをさらに含む。
【００８５】
該接続モジュールは、ブルートゥース機能を起動し、ブルートゥース信号により端末への接続を確立するように構成され、又は、
該接続モジュールは、近距離無線通信ＮＦＣ機能を起動し、ＮＦＣデータチャネルにより端末への接続を確立するように構成され、又は、
該接続モジュールは、赤外線機能を起動し、赤外線信号により端末への接続を確立するように構成される。
【００８６】
本願の実施例により提供されたスマートマスクは、濾過後の空気質指数を検出し、そしてユーザーの総呼吸量を統計し、さらに濾過後の空気質指数及びユーザーがスマートマスクを装着している時の総呼吸量を端末に送信することにより、端末が濾過後の空気質指数、ユーザーの総呼吸量及び装着する当日の現地の空気質指数に基づき、スマートマスクを装着する過程において汚染物質吸着量を算出することにより、ユーザーに現地の大気状況を直観的に示すことができる。
【００８７】
上記実施例のスマートマスクについては、そのうちの各モジュールが動作する具体的な態様は該方法に関する実施例において既に説明されていたため、ここではその説明を省略する。
【００８８】
図７は一例示的な実施例により示された汚染物質吸着量算出装置の構成模式図である。図７に示すように、該装置は、スマートマスクから送信された濾過後の空気質指数及びユーザーの総呼吸量を受信するように構成される第１受信モジュール７０１と、装着当日の現地の空気質指数を取得するように構成される取得モジュール７０２と、濾過後の空気質指数、総呼吸量及び装着当日の現地の空気質指数に基づき、汚染物質吸着量を算出するように構成される算出モジュール７０３とを含む。
【００８９】
本願の別の実施例において、該装置は接続モジュールをさらに含む。
【００９０】
該接続モジュールは、ブルートゥース機能を起動し、ブルートゥース信号によりスマートマスクへの接続を確立するように構成され、又は、
該接続モジュールは、近距離無線通信ＮＦＣ機能を起動し、ＮＦＣデータチャネルによりスマートマスクへの接続を確立するように構成され、又は、
該接続モジュールは、赤外線機能を起動し、赤外線信号によりスマートマスクへの接続を確立するように構成される。
【００９１】
本願の別の実施例において、該取得モジュール７０２は、インターネットにより装着当日の現地の空気質指数を取得するように構成され、又は、
該取得モジュール７０２は、内蔵の空気センサーにより前記装着当日の現地の空気質指数を取得するように構成される。
【００９２】
本願の別の実施例において、該算出モジュール７０３は、装着当日の現地の空気質指数と濾過後の空気質指数に基づき、空気清浄度を決定し、空気清浄度及び総呼吸量に基づき、汚染物質吸着量を算出するように構成される。
【００９３】
本願の別の実施例において、該装置は汚染物質吸着量をサーバーにアップロードし、サーバーにより、他の端末からアップロードされた汚染物質吸着量に基づき、汚染物質吸着量の順位を決定し、吸着量の順位を返信するように構成されるアップロードモジュールと、
サーバーから返した吸着量の順位を受信するように構成される第２受信モジュールとをさらに含む。
【００９４】
本願の実施例により提供された装置は、濾過後の空気質指数、ユーザーがスマートマスクを装着している時の総呼吸量及び装着する当日の現地の空気質指数に基づき、スマートマスクを装着する過程において汚染物質吸着量を算出することにより、ユーザーに現地の大気状況を直観的に示すことができる。
【００９５】
上記実施例の装置については、そのうちの各モジュールが動作する具体的な態様は該方法に関する実施例において既に説明されているため、ここではその説明を省略する。
【００９６】
図８は一例示的な実施例により示された汚染物質吸着量を算出する装置８００のブロック図である。例えば、装置８００は、携帯電話、コンピュータ、デジタル放送端末、メッセージ送受信装置、ゲームコンソール、タブレット型デバイス、医療機器、運動器具、個人用デジタル補助装置などであってもよい。
【００９７】
図８に示すように、装置８００は、処理部８０２、メモリー８０４、電源部８０６、マルチメディア部８０８、オーディオ部８１０、入力／出力（Ｉ／Ｏ）インターフェース８１２、センサー部８１４、及び通信部８１６の一つ又は複数の部材を含むことができる。
【００９８】
処理部８０２は、一般的に装置８００の全体的な操作、例えば、表示、電話の呼び出し、データ通信、カメラ操作と記録操作に関わる操作を制御する。処理部８０２は、上記方法の全部又は一部のステップを完成するために、コマンドを実行する一つ又は複数のプロセッサ８２０を含むことができる。なお、処理部８０２は、その他の部材との相互作用が便利であるように、一つ又は複数のモジュールを含むことができる。例えば、処理部８０２は、マルチメディア部８０８と処理部８０２との相互作用が便利であるように、マルチメディアモジュールを含むことができる。
【００９９】
メモリー８０４は、装置８００における操作をサポートするように、様々な種類のデータを記憶するように構成される。これらのデータの実例は、装置８００において操作される如何なるアプリケーション又は方法のコマンド、連絡先データ、電話帳データ、メッセージ、画像、ビデオなどを含む。メモリー８０４は、如何なる種類の揮発性又は不揮発性メモリー又はそれらの組み合わせ、例えば、スタティックランダムアクセスメモリー（ＳＲＡＭ）、電気的消去可能プログラマブル読み取り専用メモリー（ＥＥＰＲＯＭ）、消去可能プログラマブル読み取り専用メモリー（ＥＰＲＯＭ）、プログラマブル読み取り専用メモリー（ＰＲＯＭ）、読み取り専用メモリー（ＲＯＭ）、磁気メモリー、フラッシュメモリー、磁気ディスク又は光ディスクにより実現することができる。
【０１００】
電源部８０６は、装置８００の様々な部に電力を供給する。電源部８０６は、電源管理システム、一つ又は複数の電源、及び装置８００に電力の生成、管理及び割り当てに関連するその他の部材を含むことができる。
【０１０１】
マルチメディア部８０８は、前記装置８００とユーザーの間の一つの出力インターフェースを提供するスクリーンを含む。一部の実施例において、スクリーンは液晶ディスプレイ（ＬＣＤ）とタッチパネル（ＴＰ）を含むことができる。スクリーンにタッチパネルが含まれる場合、ユーザーからの入力信号を受信するために、スクリーンはタッチパネルに実現されることができる。タッチパネルは、タッチ、スワイプ及びタッチパネルにおけるジェスチャーを感知するために、一つ又は複数のタッチセンサーを含む。前記タッチセンサーは、タッチ又はスワイプ動作の境界を検出するだけでなく、前記タッチ又はスワイプ動作に関わる持続時間及び圧力を検出することができる。一部の実施例において、マルチメディア部８０８は、一つのフロントカメラ及び／又はバックカメラを含む。装置８００が操作モードである場合、例えば、撮影モード又はビデオモードである場合、フロントカメラ及び／又はバックカメラは外部のマルチメディアデータを受信することができる。各フロントカメラ及びバックカメラは、一つの固定された光学レンズシステムであってもよく、又は焦点距離と光学ズーム能力を有する。
【０１０２】
オーディオ部８１０は、オーディオ信号を出力及び／又は入力するように構成される。例えば、オーディオ部８１０は、一つのマイクロフォン（ＭＩＣ）を含み、装置８００が操作モードである場合、例えば、呼び出しモード、記録モード、音声認識モードである場合、マイクロフォンは外部のオーディオ信号を受信するように構成される。受信されたオーディオ信号は、さらにメモリー８０４に記憶され、又は通信部８１６を介して送信される。一部の実施例において、オーディオ部８１０は、さらに一つのオーディオ信号を出力するためのスピーカーを含む。
【０１０３】
Ｉ／Ｏインタフェース８１２は、処理部８０２と周辺インタフェースモジュールの間にインタフェースを提供し、上記周辺インタフェースモジュールは、キーボード、クリックホイール、ボタンなどであってもよい。これらのボタンは、ホームボタン、ボリュームボタン、スタートボタン及びロックボタンを含むことができるがそれに限定されない。
【０１０４】
センサー部８１４は、装置８００に各態様の状態評価を提供するために、一つ又は複数のセンサーを含む。例えば、センサー部８１４は、装置８００のオン／オフ状態、部材の相対的位置決め、例えば、前記部材が装置８００であるディスプレイ及びキーパッドを検出することができ、センサー部８１４は、さらに装置８００又は装置８００の一つの部材の位置変化、ユーザーと装置８００との接触の有無、装置８００の方角又は加速／減速及び装置８００の温度変化を検出することができる。センサー部８１４は、近接センサーを含むことができ、如何なる物理的接触がない時、近隣物体の存在を検出するように構成される。センサー部８１４は、さらにイメージングアプリケーションに用いられる光学センサー、例えば、ＣＭＯＳ又はＣＣＤイメージセンサーを含むことができる。一部の実施例において、該センサー部８１４は、さらに加速度センサー、ジャイロセンサー、磁気センサー、圧力センサー又は温度センサーも含むことができる。
【０１０５】
通信部８１６は、装置８００とその他の装置との有線又は無線方式による通信が便利であるように構成される。装置８００は、通信標準に基づく無線ネットワーク、例えば、ＷｉＦｉ（登録商標）、２Ｇ又は３Ｇ、又はそれらの組み合わせにアクセスすることができる。一例示的な実施例において、通信部８１６は、放送チャネルを介して外部放送管理システムからの放送信号又は放送関連情報を受信する。一例示的な実施例において、前記通信部８１６は、狭域通信を促進するために、さらに近距離無線通信（ＮＦＣ）モジュールを含む。例えば、ＮＦＣモジュールにおいて、無線周波数認識（ＲＦＩＤ）技術、赤外線データ協会（ＩｒＤＡ）技術、超広帯域（ＵＷＢ）技術、ブルートゥース（ＢＴ）及びその他の技術に基づいて実現することができる。
【０１０６】
一例示的な実施例において、装置８００は、一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子部品により実現することができ、上記の方法を実行するのに用いられる。
【０１０７】
一例示的な実施例において、さらに、コマンドを含む非一時的なコンピュータ可読記憶媒体、例えば、コマンドを含むメモリー８０４を提供し、上記方法を完成するために、上記コマンドは装置８００のプロセッサ８２０により実行することができる。例えば、前記非一時的なコンピュータ可読記憶媒体は、ＲＯＭ、ランダムアクセスメモリー（ＲＡＭ）、ＣＤ−ＲＯＭ、磁気テープ、フロッピーディスク（登録商標）及び光データ記憶装置などであってもよい。
【０１０８】
非一時的なコンピュータ可読記憶媒体は、記憶媒体におけるコマンドが携帯端末のプロセッサにより実行される時、携帯端末を汚染物質吸着量の算出方法が実行させるようにし、該方法は、
スマートマスクから送信された濾過後の空気質指数及びユーザーの総呼吸量を受信することと、
装着当日の現地の空気質指数を取得することと、
濾過後の空気質指数、総呼吸量及び装着当日の現地の空気質指数に基づき、汚染物質吸着量を算出することとを含む。
【０１０９】
好ましくは、スマートマスクから送信された濾過後の空気質指数及びユーザーの総呼吸量を受信する前に、
ブルートゥース機能を起動し、ブルートゥース信号によりスマートマスクへの接続を確立すること、又は、
近距離無線通信ＮＦＣ機能を起動し、ＮＦＣデータチャネルによりスマートマスクへの接続を確立すること、又は、
赤外線機能を起動し、赤外線信号によりスマートマスクへの接続を確立することをさらに含む。
【０１１０】
好ましくは、装着当日の現地の空気質指数を取得することは、
インターネットにより装着当日の現地の空気質指数を取得すること、又は、
内蔵の空気センサーにより装着当日の現地の空気質指数を取得することを含む。
【０１１１】
好ましくは、濾過後の空気質指数、総呼吸量及び装着当日の現地の空気質指数に基づき、汚染物質吸着量を算出することは、
装着当日の現地の空気質指数及び濾過後の空気質指数に基づき、空気清浄度を決定することと、
空気清浄度及び総呼吸量に基づき、汚染物質吸着量を算出することとを含む。
【０１１２】
好ましくは、汚染物質吸着量を算出した後に、
汚染物質吸着量をサーバーにアップロードし、サーバーにより、その他の端末からアップロードされた汚染物質吸着量に基づき、汚染物質吸着量の順位を決定し、吸着量の順位を返信することと、
サーバーから返した吸着量の順位を受信することとを含む。
【０１１３】
本願の実施例により提供された非一時的なコンピュータ可読記憶媒体は、濾過後の空気質指数、ユーザーがスマートマスクを装着している時の総呼吸量及び装着する当日の現地の空気質指数に基づき、スマートマスクを装着する過程において汚染物質吸着量を算出することにより、ユーザーに現地の大気状況を直観的に示すことができる。
【０１１４】
当業者であれば、明細書を考慮しここに開示された発明を実践した後、本願のその他の実施態様を容易に想到できる。本出願は、本願の如何なる変形、用途又は適応的変化を含むためのものであり、これらの変形、用途又は適応的変化は本願の一般的な原理に準じ、本願の開示されていない当該技術分野における一般的知識又は慣用の技術手段を含む。明細書と実施例は例示的なものに過ぎず、本願の実際の範囲と精神は下記請求項により与えられる。
【０１１５】
理解すべきことは、本願は既に上記のように説明され、図面に示された正確な構造に限定されず、その範囲を逸脱しない限りにおいて様々な修正や変更を行うことができる。本願の範囲は添付の請求項のみにより限定される。
【図１】
2017527714.tif 000003
【図２（Ａ）】
2017527714.tif 000004
【図２（Ｂ）】
2017527714.tif 000005
【図２（Ｃ）】
2017527714.tif 000006
【図２（Ｄ）】
2017527714.tif 000007
【図３】
2017527714.tif 000008
【図４】
2017527714.tif 000009
【図５】
2017527714.tif 000010
【図６】
2017527714.tif 000011
【図７】
2017527714.tif 000012
【図８】
2017527714.tif 000013
【国際調査報告】
2017527714.tif 000014
2017527714.tif 000015
2017527714.tif 000016
2017527714.tif 000017